(57)【要約】【課題】ガラス扉の組立状態を容易に目視確認することができる遊技機を提供する。【解決手段】遊技盤１０を保持する前枠２と、この前枠２の前面側に開閉可能に取り付けられて閉鎖状態において遊技盤１０を視認可能に構成されたガラス扉５とを備え、ガラス扉５が、前枠２の前面側に開閉自在に取り付けられた窓枠６０と、前後方向に中央開口した窓口５１を有し、窓枠６０の前面側に装着されるよう窓枠６０の背面側からビス６５により取り付けられる装飾部材５０と、窓口５１に対応位置して前後方向に開口した板金開口７１を有し窓枠６０の背面側に取り付けられ、装飾部材５０の前面側からの異物の侵入を防止する不正防止板金７０とを有して構成されるパチンコ機ＰＭにおいて、不正防止板金７０が、この不正防止板金７０が窓枠６０に取り付けられた状態において、不正防止板金７０の背面側からビス６５のビス頭部６５ａを視認可能なようビス６５の取付位置に位置対応させて前後方向に貫通する確認孔８０を有して構成される。【選択図】図５
2009131531.tif 000002
【特許請求の範囲】
【請求項１】
遊技盤を保持する枠部材と、前記枠部材の前面側に開閉可能に取り付けられて閉鎖状態において前記遊技盤を視認可能に構成されたガラス扉とを備え、
前記ガラス扉が、前記枠部材の前面側に開閉自在に取り付けられ略矩形枠状に形成された窓枠と、前後方向に中央開口した窓開口を有し、前記窓枠の前面側に装着されるよう前記窓枠の背面側からネジ部材により取り付けられる前面部材と、前記窓開口に対応位置して前後方向に開口した板金開口を有し前記窓枠の背面側に取り付けられ、前記前面部材の前面側からの異物の侵入を防止する金属平板状の板金部材とを有して構成される遊技機において、
前記板金部材が、前記板金部材が前記窓枠に取り付けられた状態において、前記板金部材の背面側から前記ネジ部材の頭部を視認可能なよう前記ネジ部材の取付位置に位置対応させて前後方向に貫通する確認孔を有して構成されたことを特徴とする遊技機。
【請求項２】
前記前面部材が、前記遊技機の前面側を装飾する合成樹脂製の装飾体と、前記装飾体の内部に配設される装飾用発光源又は音声発生源等の電装部品とから構成され、
前記装飾体および前記電装部品が複数の前記ネジ部材により各々前記窓枠の背面側から取り付けられていることを特徴とする請求項１に記載の遊技機。
【請求項３】
前記確認孔が、前記ネジ部材の前記頭部の外径よりも小径に形成されたことを特徴とする請求項１又は２に記載の遊技機。
【請求項４】
前記板金部材が前記窓枠に取り付けられた状態において、前記確認孔を形成する周縁部が前記ネジ部材の頭部を近接接触するよう構成されたことを特徴とする請求項１から３のいずれかに記載の遊技機。
【発明の詳細な説明】
【技術分野】
【０００１】
本発明は、遊技盤を保持する枠部材の前面側に開閉可能に取り付けられて閉鎖状態において遊技盤を視認可能に構成されたガラス扉を備えた遊技機に関する。
【背景技術】
【０００２】
このような遊技機の代表例であるパチンコ機は、開閉搭載枠をなす前枠に遊技領域が形成された遊技盤が保持されており、その前面側に遊技領域を透視保護するガラス扉が開閉自在に取り付けられている。ガラス扉は、略矩形枠状に形成された窓枠と、前後方向に開口する窓開口を有し窓枠の前面側に取り付けられる装飾部材と、窓枠の背面側（遊技盤と対向する面側）に窓口を塞ぐように取り付けられたガラスアセンブリとを主体に構成されており、窓枠および前枠の左側縁に配設されたヒンジ機構で横開き開閉自在に支持され、常には右側縁に配設された施錠装置を利用して閉鎖保持される（例えば、特許文献１参照）。
【０００３】
また、窓枠の背面には、周縁部を取り囲うようにして窓口により形成される窓開口を除く箇所に金属板製の板金部材が備えられる。これにより、不正遊技を行う目的で合成樹脂製の装飾部材や窓枠に対して半田ゴテや熱した針金などを用いて表裏を貫通する孔が空けられ、この孔から針金やピアノ線などの異物を侵入させた場合でも、窓枠の背面側に備えられた板金部材に突き当たり、板金部材が異物のこれ以上の侵入を防ぐため、遊技盤等への不正アクセスを防止することができる。
【０００４】
【特許文献１】特開２００５−５３８号公報
【発明の開示】
【発明が解決しようとする課題】
【０００５】
ガラス扉の組立工程では、窓枠の前面側に装飾部材を配置して窓枠の背面側からネジ止めをした後、窓枠の背面側から窓開口を除く周縁部に板金部材が取り付けられ、さらに、この背面側にガラスアセンブリが重合するように取り付けられる。このとき、装飾部材を窓枠に固定するためのネジ止めは、窓開口を避けるようにして窓枠背面の周縁部においてなされるため、この窓枠の背面側に板金部材が取り付けられるとネジ取付部を覆ってしまうことになる。このため板金部材の取り付け後に、窓枠と装飾部材とのネジによる固定状況を確認することができないため、ネジ止め忘れ等による不具合が発生したとしても、ガラス扉の組立工程後にこれを発見することが困難であるという問題があった。
【０００６】
本発明はこのような課題に鑑みてなされたものであり、ガラス扉の組立状態を容易に目視確認できる遊技機を提供することを目的とする。
【課題を解決するための手段】
【０００７】
前記課題を解決するために、本発明に係る遊技機は、遊技盤を保持する枠部材（例えば、実施形態における前枠２）と、枠部材の前面側に開閉可能に取り付けられて閉鎖状態において遊技盤を視認可能に構成されたガラス扉とを備え、ガラス扉が、枠部材の前面側に開閉自在に取り付けられ略矩形枠状に形成された窓枠と、前後方向に中央開口した窓開口（例えば、実施形態における窓口５１）を有し、窓枠の前面側に装着されるよう窓枠の背面側からネジ部材（例えば、実施形態におけるビス６５）により取り付けられる前面部材（例えば、実施形態における装飾部材５０）と、窓開口に対応位置して前後方向に開口した板金開口を有し窓枠の背面側に取り付けられ、前面部材の前面側からの異物の侵入を防止する金属平板状の板金部材（例えば、実施形態における不正防止板金７０）とを有して構成される遊技機（例えば、実施形態におけるパチンコ機ＰＭ）において、板金部材が、この板金部材が窓枠に取り付けられた状態において、板金部材の背面側からネジ部材の頭部（例えば、実施形態におけるネジ頭部６５ａ）を視認可能なようネジ部材の取付位置に位置対応させて前後方向に貫通する確認孔を有して構成される。
【０００８】
このような遊技機において、前面部材が、遊技機の前面側を装飾する合成樹脂製の装飾体と、装飾体の内部に配設される装飾用発光源又は音声発生源等の電装部品とから構成され、装飾体および電装部品が複数のネジ部材により各々窓枠の背面側から取り付けられていることが好ましい。
【０００９】
また、確認孔が、ネジ部材の頭部の外径よりも小径に形成されることが好ましい。
【００１０】
さらに、板金部材が窓枠に取り付けられた状態において、確認孔（例えば、実施形態における確認孔８０′）を形成する周縁部がネジ部材の頭部を近接接触するよう構成されることが好ましい。
【発明の効果】
【００１１】
本発明に関する遊技機によれば、前面部材と窓枠とを固定するネジ部材の取り付け位置に位置対応させて板金部材に設けられた確認孔を通して、このネジ部材（頭部）を目視確認することで前面部材と窓枠との固定状況を確認することができるため、ガラス扉の組立不良を容易に発見することでき、製品品質の信頼性を向上させることができる。また、不正遊技目的のため、ガラス扉が閉鎖されている状態において前面部材と窓枠との間に針金等の異物が侵入しても、確認孔とネジ部材との間からこの異物を侵入させる経路は制限されるため、不正遊技が行われるのを確実に防止することができる。
【００１２】
また、前面部材が、ネジ部材により窓枠の前面側に取り付けられる装飾用発光源又は音声発生源等の電装部品を備えて構成されることにより、確認孔を通して、このネジ部材を目視確認することで電装部品と窓枠との固定状況を確認することができる。
【００１３】
さらに、確認孔の大きさをネジ部材の頭部よりも小径にすることで、ネジ部材が緩んで外れるようなことがあっても確認孔から抜け出ることがないため、運用中にネジ部材が脱落するような不具合を防止することができる。
【００１４】
また、確認孔の周縁部がネジ部材頭部を近接接触するよう構成することで、ネジ部材の緩みを防止することができるとともに、確認孔とネジ部材頭部との隙間が無くなるため、不正遊技目的での針金等の異物の侵入をさらに防止することができる。
【発明を実施するための最良の形態】
【００１５】
以下、本発明の好ましい実施形態について図面を参照して説明する。まず、図１および図２を参照して本発明に係る遊技機の代表例として示すパチンコ機ＰＭの概略構成について説明する。ここで、図１はパチンコ機ＰＭの正面図、図２はパチンコ機ＰＭの側面図である。
【００１６】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横向き開閉および着脱が可能に取り付けられ、正面右側に設けられたダブル錠と称される施錠装置４を利用して常には外枠１と係合連結された閉止状態に保持される。
【００１７】
前枠２の前面側上部には、ガラス扉５が前方に横開き開閉および着脱可能に取り付けられ、施錠装置４を利用して常には前枠２の前面を覆う閉止状態に保持される。ガラス扉５の背後に位置する前枠２の上部には、遊技盤１０を着脱自在に収容する収容枠（図示せず）が設けられており、この収容枠に立設姿勢で係止保持された遊技盤１０がガラス扉５を通して視認されるようになっている。
【００１８】
遊技盤１０は、所定板厚の積層合板の表面にセルを貼り付けてルーター加工した化粧板を基板とし、円弧状のレール（図示せず）等に囲まれて略円形状の遊技領域ＰＡが形成される。遊技領域ＰＡには、多数本の遊技釘や風車とともに各種入賞装置等の遊技構成部品（図示せず）が取り付けられている。
【００１９】
前枠２の前面におけるガラス扉５の下側には、遊技球を貯留する上球皿６が取り付けられており、この上球皿６の下側には下球皿７および発射ハンドル８が取り付けられている。また、上球皿６に前面側が覆われた前枠２の下部領域には遊技補助盤（図示せず）と称される補助機構部が形成されており、この遊技補助盤には、遊技盤１０の遊技領域ＰＡ内に遊技球を発射する遊技球発射装置（図示せず）が設けられている。
【００２０】
前枠２の背面側には、図２に示すように、裏セット盤３０がヒンジ機構（図示せず）により揺動開閉および着脱可能に取り付けられる。裏セット盤３０には、遊技球を貯留する球貯留タンク３１、球貯留タンク３１から供給された遊技球を整列させて流下させるタンクレール３２、球圧を軽減して遊技球を下方に流下させるＳ字レール３３、入賞状態等に基づいて遊技球を払い出す球払出装置３４、球払出装置３４から払い出された遊技球を上球皿６に導く球払出通路３５等の遊技球の処理機構が設けられている。また、裏セット盤３０には、パチンコ機ＰＭの作動を統括的に制御する主制御装置３８等の各種制御装置や、回路基板等の各種電子部品が取り付けられており、これらが図示しないコネクタケーブルで接続されてパチンコ機ＰＭが作動可能に構成される。
【００２１】
パチンコ機ＰＭは、前枠２やガラス扉５等が閉鎖された状態で遊技に供され、上球皿６に遊技球を貯留させて発射ハンドル８を回動操作することにより遊技が開始される。発射ハンドル８が回動操作されると、上球皿６に貯留された遊技球は、上球皿６の背面側に位置する遊技球発射装置により１球ずつ遊技領域ＰＡに打ち出され、パチンコゲームが展開される。
【００２２】
次に、図３〜図５を参照して、ガラス扉５について説明する。ここで、図３はガラス扉５の背面図、図４は図３の一点鎖線ＩＶ−ＩＶに沿った部分拡大図、図５は図４の矢印Ｖ−Ｖに沿ったガラス扉５の部分断面図である。
【００２３】
図３および図４に示すように、ガラス扉５は、前枠２の前面の上部に揺動開閉および着脱自在に取り付けられた窓枠６０と、この窓枠６０の前面側にネジ６５により着脱可能に取り付けられる前面部材としての装飾部材５０と、窓枠６０の背面側にネジ７５により着脱可能に取り付けられる不正防止板金７０とを備えて構成される。このように窓枠６０の背面側に不正防止板金７０が備えられることより、詳細は後述するように、不正遊技目的で行われる装飾部材５０および窓枠６０の前面側からの針金等の侵入の不正アクセスを防止する。なお、図３には図示されないが、窓枠６０の背面側には、不正防止板金７０に重合して装飾部材５０の前後方向に開口した窓口５１を塞ぐ状態で前後２枚のガラス板からなるガラスアセンブリ９０が取り付けられる。
【００２４】
装飾部材５０は、図１に示すように、透光性の合成樹脂材によって遊技の演出効果を高めるため所望の形状に成形加工され、中央部分には遊技領域ＰＡにほぼ対応するようにして前後方向に開口した略円形状の窓口５１が形成されている。かかる窓口５１の存在により、ガラスアセンブリ９０を介して遊技盤１０等を外部から視認できるようになっている。この装飾部材５０の背面の周縁部には、図５に示すように、窓枠６０の前面側にビス止めされるためのネジ孔５９が複数個設けられている
【００２５】
窓枠６０は、ＡＢＳ樹脂等の樹脂材で形成される外郭略方形状の枠体である。窓枠６０の周縁部には、装飾部材５０背面のネジ孔５９に対応位置してビス貫通孔６７を有するボス６６が複数個突設されており、このビス貫通孔６７を介してビス６５をネジ孔５９に螺合させることにより、図２に示すように、装飾部材５０を窓枠６０の前面側に取り付けることができる。
【００２６】
不正防止板金７０は、例えばステンレス鋼等の金属材料でほぼ方形状に成形されており、窓枠６０の背面側に隠れるようにして配置される大きさを有する。この不正防止板金７０の中央部には、装飾部材５０の窓口５１とほぼ同じ大きさをなす板金開口７１が前後方向に開口して形成されている。不正防止板金７０は、装飾部材５０の窓口５１を除く周縁を覆うようにして、窓枠６０の背面側にビス７５により取り付けられる。このように不正防止板金７０は窓口５１を除く部分を背面側から覆っているため、不正遊技目的で、樹脂製の装飾部材５０および窓枠６０に対して、例えば熱した針金などにより前面側から孔を空けてこの針金を侵入させた場合であっても、針金等の先端部は金属製の不正防止板金７０に突き当たりこれ以上の侵入が規制されるため、遊技盤１０等への不正アクセスを防止することができる。なお、上述のように、この不正防止板金７０は窓口５１を除く部分のみを覆って、窓口５１に相当する部分については板金開口７１により開口されているため、遊技者側から窓口５１を通して遊技盤１０を視認することが妨げられることはない。
【００２７】
このとき、不正防止板金７０は、この不正防止板金７０の前方側に位置する窓枠６０と装飾部材５０とを固定するビス６５をも覆うようにして窓枠６０に取り付けられるため、不正防止板金７０の取り付け後において、ビス６５による装飾部材５０と窓枠６０との固定状況を確認することが困難となる。このため、不正防止板金７０の周縁部には、ビス６５を目視確認可能なように確認孔８０がこのビス６５の螺合位置に位置対応して複数個形成されている。この確認孔８０は、不正防止板金７０の前後方向に貫通されて、ビス６５のビス頭部６５ａよりも小径な孔径を有する貫通孔である。したがって、ビス６５を各ボス６６のビス貫通孔６７を介して装飾部材５０のネジ孔５９に螺合させ、装飾部材５０を窓枠６０の前面に固定させた状態で、窓枠６０の背面側に不正防止板金７０を取り付けた場合であっても、確認孔８０を通してビス頭部６５ａが視認可能となっている。
【００２８】
次に、このように構成される遊技機ＰＭにおいて、ガラス扉５を組み立てる場合について説明する。
【００２９】
まず、窓枠６０の前面側に装飾部材５０を配置するとともに、各ボス６６のビス貫通孔６７を介して各ネジ孔５９にビス６５を螺合させて、装飾部材５０を窓枠６０に取り付ける。そして、窓枠６０の背面側に不正防止板金７０を配置してビス７５により窓枠６０に取り付けた後、さらにその背面側から不正防止板金７０に重合するようにしてガラスアセンブリ９０を取り付けて、ガラス扉５が組み立てられる。このとき、確認孔８０は、装飾部材５０と窓枠６０とを固定するビス６５の螺合位置に位置対応して開設されているため、上述のように、この確認孔８０を通して、ビス頭部６５ａを視認することができる。このため、ガラス扉５の組立工程において、装飾部材５０と窓枠６０とを固着させる複数のビス６５のうち一部のビス６５について、作業の不注意等により取り付け忘れが発生した場合に、不正防止板金７０の取り付け後であっても確認孔８０を通してビス６５を確認することができるため、装飾部材５０と窓枠６０との固定状況を容易に確認することができる。
【００３０】
また、ガラス扉５の組み立てが完了した状態において、ビス６５の締結不良によりビス６５が緩んでビス貫通孔６７から抜け出るような不具合が発生しても、確認孔８０の孔径はビス頭部６５ａよりも小径に設定されているため、このビス６５がこの確認孔８０を通過することはない。このため、ビス６５がガラス扉５の外部に脱落することにより内部機器等に接触して、運用中に不具合が発生することを防止することができる。
【００３１】
これまで、本発明の実施形態について説明したが、必ずしも上記構成に限られるものではない。例えば、上記実施例では、ビス６５のビス頭部６５ａと確認孔８０と間には所定の隙間を有し不正防止板金７０はビス頭部６５ａに接触していない構成であったが、図６に示すように、ビス頭部６５ａの頂部が確認孔８０′に入り込んだ状態となって、不正防止板金７０′（確認孔８０′の周縁部）がビス頭部６５ａを押圧接触するように構成してもよい。これによれば、不正防止板金７０′がビス６５を常に一定の押圧力で接触しているため、ビス６５の緩みを防止することができる。また、ビス頭部６５ａが確認孔８０′を閉塞しているため、この確認孔８０′を通そうとする針金等の異物の侵入を確実に阻止することができる。
【００３２】
また、上述の実施形態において、ビス６５を目視確認するための確認孔８０がビス頭部６５ａの外径よりも小径となるように形成されているが、これに限られるものではなく、ビス頭部６５ａの外径よりも大径となるように形成してもよい。これによれば、ビス６５を目視確認することがさらに容易になり、確認作業の負担が軽減される。さらに、ドライバー等の作業工具の先端部を挿入可能な大きさの孔径にすれば、ビス確認時やメンテナンス時等にいつでもビス６５を締め付け直すことができる。
【００３３】
さらに、上記の実施形態においては、請求の範囲に規定する前面部材の一例として装飾部材５０を示して説明したが、この前面部材は、ランプやＬＥＤ等の発光装置（装飾用発光源の電装部品）、この発光装置で発光された光を透過するレンズ等の光学的装飾部材、スピーカ等の音声発生装置（音声発生源の電装装置）を備えて構成されてもよい。また、前面部材は、プリペイドカードの残高表示等を行うＣＲ操作パネルや、キャラクタを模したフィギュア等の演出用の可動ユニット、液晶ディスプレイ等からなる演出用の画像表示装置、光源から出射された光を遊技者側へ反射させるリフレクタなどを備えて構成されるものであってもよい。このように構成することによって上記の発光装置やＣＲ操作パネルなどを窓枠６０に固定（ネジ止め）するネジの確認孔を不正防止板金７０，７０′に形成することにより窓枠６０との固定状況を容易に確認することができる。
【００３４】
なお、本発明に係る遊技機の実施形態としてパチンコ機ＰＭを例示したが、これに限られるものではなく、例えば、アレンジボール機や雀球遊技機などの他の遊技機にも本発明を適用することができる。
【００３５】
以上説明した本発明の実施形態において達成される効果を整理すると、下記のようになる。すなわち、パチンコ機ＰＭを始めとする遊技機において、ガラス扉５の組立後であっても、確認孔８０により装飾部材５０と窓枠６０との固定状況を目視確認することができるため、ガラス扉５の組み立て不良を容易に発見することができ、製品品質の信頼性の向上を図ることができる。また、確認孔８０をビス頭部６５ａより小径にすることにより、運用中にビス６５が脱落するような不具合を防止することができる。さらに、確認孔８０の周縁部がビス６５を押圧接触するようにすることで、ビス６５の緩みを防止するとともに、針金等の異物が侵入して不正遊技がされるのを防止することができる。
【図面の簡単な説明】
【００３６】
【図１】本発明に係る遊技機の一例として示すパチンコ機の正面図である。
【図２】上記パチンコ機の側面図である。
【図３】上記パチンコ機の一部を構成するガラス扉の背面図である。
【図４】図３の一点鎖線ＩＶ−ＩＶに沿った部分拡大図である。
【図５】図４の矢印Ｖ−Ｖに沿った部分断面図である。
【図６】本発明の異なる実施形態に係る遊技機のガラス扉を図５に対応して示す部分断面図である。
【符号の説明】
【００３７】
ＰＭ  パチンコ機（遊技機）
２  前枠（枠部材）
５  ガラス扉
１０  遊技盤
５０  装飾部材（前面部材）
５１  窓口（窓開口）
６０  窓枠
６５  ビス（ネジ部材）
６５ａ  ビス頭部（頭部）
７０，７０′  不正防止板金（板金部材）
７１  板金開口
８０，８０′  確認孔
【図１】
2009131531.tif 000003
【図２】
2009131531.tif 000004
【図３】
2009131531.tif 000005
【図４】
2009131531.tif 000006
【図５】
2009131531.tif 000007
【図６】
2009131531.tif 000008